(57)【要約】【課題】  紙寄せ板によって紙の幅方向の紙端を折り曲げてしまうようなことがなく、紙の幅方向の紙端の紙揃えを的確に行わせるとともに、製造コストの低減を図る。【解決手段】  本機の駆動に連動して回転する駆動伝達カム１６のカム面に対接するカムフォロア２０を介して、第１のレバー部材１８が枢軸１７を中心に揺動する。この揺動で往復動する前当によって、排紙パイルに積載される紙の先端が揃えられる。第１のレバー部材１８の一端部には連結バー３５の頭部３５ａが枢着され、連結バー３５の他端側のねじ部３５ｂは第２のレバー３０に枢着されたスタッド３４の貫通孔に挿通されている。連結バー３５のねじ部３５ｂにナット３６が螺合し、スタッド３４と連結バー３５の頭部３５ａとの間には圧縮コイルばね３７が弾装されている。第１のレバー部材１８が揺動すると、圧縮コイルばね３７を介して第２のレバー部材３０が揺動し、紙寄せ板の往復動によって排紙パイルに積載される紙の側端が揃えられる。第２のレバー部材３０の揺動は、規制腕部３２に対接するねじ棒４７を前進させることによって規制される。【選択図】  図２
2005247502.tif 000002
【特許請求の範囲】
【請求項１】
シート状物を積載するシート積載手段と、
このシート積載手段に積載される前記シート状物のシート搬送方向下流側に設けられ、往復動により前記シート積載手段に積載される前記シート状物の先端側を揃える前当てと、
前記シート積載手段に積載される前記シート状物の幅方向に設けられ、往復動により前記シート積載手段に積載されるシート状物の幅方向を揃える一対の横寄せ装置とを備えたシート積載装置のシート揃え装置において、
前記前当ては、駆動手段により揺動する第１のレバー部材を介して動作し、前記横寄せ装置は、前記第１のレバー部材の揺動により揺動する第２のレバー部材を介して動作するとともに、前記第１のレバー部材と前記第２のレバー部材とを一体化する方向に付勢する付勢手段と、この付勢手段の付勢力に抗して前記第２のレバー部材の揺動を規制する規制手段を備えたことを特徴とするシート積載装置のシート揃え装置。
【請求項２】
請求項１記載のシート積載装置のシート揃え装置において、
前記第１のレバー部材の揺動端部に一端が枢着され他端が前記第２のレバー部材に移動自在に支持された連結バーと、
前記第２のレバー部材に対する移動を規制する規制部材とを備え、
前記付勢手段は、前記第１のレバー部材と前記第２のレバー部材との間に弾装され第２のレバー部材を前記規制部材側に付勢することを特徴とするシート積載装置のシート揃え装置。
【発明の詳細な説明】
【技術分野】
【０００１】
本発明は、排紙チェーンのくわえから解放され落下積載されるシート状物の幅方向の紙端を揃えるシート積載装置のシート揃え装置に関するものである。
【背景技術】
【０００２】
従来のシート積載装置のシート揃え装置は、本機の駆動に連動して回転するカムと、このカムのカム作用によって往復回動する揺動軸とを備え、この揺動軸の往復回動によって横寄せ装置による紙の幅方向の紙揃えと、前当てによる紙の先端の紙揃えを行っている（例えば、特許文献１参照）。また、本機の駆動に連動して回転する横寄せカムと、この横寄せカムのカム面に揺動端部が対接し揺動自在に支持されたレバーと、このレバーと一体的に揺動し揺動端部にカム面が設けられたレバーカムと、このレバーカムのカム面に対接するカムフォロアおよび紙の幅方向の紙端を揃える紙寄せ板が設けられたレバーホルダとを備え、横寄せカムが回転することによってレバーを介してレバーカムが揺動し紙寄せ板が紙の幅方向の紙端に進退するものもある（例えば、特許文献２参照）。なお、本出願人は、本明細書に記載した先行技術文献情報で特定される先行技術文献以外には、本発明に密接に関連する先行技術文献を出願時までに見付け出すことはできなかった。
【特許文献１】特開平８−３２４８６８号公報（段落「００１２」〜「００１４」、図５および図７）
【特許文献２】実開平２−１３５５６５号公報（８頁８行〜９頁１０行、図４，５）
【発明の開示】
【発明が解決しようとする課題】
【０００３】
上述した従来のシート積載装置のシート揃え装置のうち、前者の装置においては、横寄せ装置の駆動と、前当ての駆動とを同一の駆動源で行う構造としているために、横寄せ装置の駆動のみを停止することはできなかった。このため、前当てと比較して往復動のストローク量の大きい横寄せ装置においては、相対的に厚みの薄い紙を紙寄せ板で揃える場合に、紙の幅方向の紙端を折り曲げてしまったり、紙が舞い上がったりして紙揃えが的確に行われないという問題があった。また、後者の装置においては、横寄せカムの回転を停止させることにより、上述したような相対的に厚みの薄い紙での問題は解決するが、前当てを駆動するための別の駆動源が必要になるため、製造コストが嵩むという問題があった。
【０００４】
本発明は上記した従来の問題に鑑みなされたものであり、その目的とするところは、紙寄せ板によって紙の幅方向の紙端を折り曲げてしまうようなことがなく、紙の幅方向の紙端の紙揃えを的確に行わせるとともに、製造コストの低減を図ることにある。
【課題を解決するための手段】
【０００５】
この目的を達成するために、請求項１に係る発明は、シート状物を積載するシート積載手段と、このシート積載手段に積載される前記シート状物のシート搬送方向下流側に設けられ、往復動により前記シート積載手段に積載される前記シート状物の先端側を揃える前当てと、前記シート積載手段に積載される前記シート状物の幅方向に設けられ、往復動により前記シート積載手段に積載されるシート状物の幅方向を揃える一対の横寄せ装置とを備えたシート積載装置のシート揃え装置において、前記前当ては、駆動手段により揺動する第１のレバー部材を介して動作し、前記横寄せ装置は、前記第１のレバー部材の揺動により揺動する第２のレバー部材を介して動作するとともに、前記第１のレバー部材と前記第２のレバー部材とを一体化する方向に付勢する付勢手段と、この付勢手段の付勢力に抗して前記第２のレバー部材の揺動を規制する規制手段を備えたものである。
【０００６】
請求項２に係る発明は、請求項１に係る発明において、前記第１のレバー部材の揺動端部に一端が枢着され他端が前記第２のレバー部材に移動自在に支持された連結部材と、前記第２のレバー部材に対する移動を規制する規制部材とを備え、前記付勢手段は、前記第１のレバー部材と前記第２のレバー部材との間に弾装され第２のレバー部材を前記規制部材側に付勢するものである。
【発明の効果】
【０００７】
本発明によれば、横寄せ装置の往復動を規制することができるため、相対的に厚みの薄い紙の幅方向の紙端を折り曲げてしまうようなことがなく的確に揃えることができるというだけではなく、前当てと横寄せ装置の駆動を１つとすることができるため製造コストを低減することができる。
【発明を実施するための最良の形態】
【０００８】
以下、本発明の実施の形態を図に基づいて説明する。図１は本発明に係るシート積載装置のシート揃え装置が使用された枚葉輪転印刷機の概略構成図、図２は本発明に係るシート積載装置のシート揃え装置の側面図、図３および図４は同じく展開して示す正面図で、図３は前当ての駆動を説明するための図であって、図４は横寄せ装置の駆動を説明するための図、図５は図２におけるＶ矢視図である。
【０００９】
図１に全体を符号１で示す枚葉輪転印刷機は、給紙装置（図示せず）と、印刷ユニット２と排紙装置３とを備えている。印刷ユニット２と排紙装置３との間には、排紙胴（図示せず）と同軸上にスプロケット４が軸着され、このスプロケット４と排紙フレーム５に軸架された軸に軸着されたスプロケット６との間には、矢印Ａ方向に走行する左右一対の排紙チェーン７が張架されている。
【００１０】
これら左右の排紙チェーン７の間には、走行方向に一定の間隔おいて支架された爪竿に爪と爪台とから構成され、シート状物としての紙９をくわえる排紙爪装置８が設けられており、印刷後の紙９をくわえて排紙チェーン７の走行とともにこれを搬送するように構成されている。排紙装置３には、紙９を積載するシート積載手段としての排紙パイル１０が備えられており、この排紙パイル１０には、排紙爪装置８から解放され落下する紙９を積載する紙積台１１と、紙９が積載されるにしたがって紙積台１１を自動的に降下させる昇降チェーン１２とが備えられている。
【００１１】
１３は前当てであって、排紙パイル１０に積載される紙９の紙搬送方向（矢印Ａ方向）下流側に設けられており、後述する駆動機構による揺動動作によって排紙パイル１０に積載される紙９の先端側を揃える。１４は横寄せ装置であって、排紙パイル１０に積載される紙９の幅方向に一対設けられており、後述する駆動機構による往復動によって排紙パイル１０に積載される紙９の幅方向の紙端を揃える。
【００１２】
次に、図２ないし図５を用いて、本発明の特徴であるシート積載装置のシート揃え装置１５について説明する。図２において、１６は排紙フレーム５に回転自在に支持された駆動伝達カムであって、本機と連動して回転し、周面のカム面に大径部１６ａと小径部１６ｂとが設けられている。１７はブラケット１７ａを介して排紙フレーム５に植設された枢軸であって、この枢軸１７に第１のレバー部材１８が揺動自在に枢支されており、この第１のレバー部材１８の一端部に固着されたピン１９にカムフォロア２０が軸支されている。
【００１３】
このカムフォロア２０は、ピン１９と排紙フレーム９に植設されたスタッド２１との間に懸架された引張りコイルばね２２の引張力によって、上記した駆動伝達カム１６のカム面に対接している。また、第１のレバー部材１８の他端部には、カムフォロア２３がピン２４を介して軸支されている。２５は前当て１３の基端部が軸着された揺動軸であって、この揺動軸２５にはレバー２６の基端部が軸着されており、このレバー２６の揺動端部は図示を省略した付勢手段によってカムフォロア２３に対接している。
【００１４】
２７はシリンダエンドがスタッド２８を介して排紙フレーム５に枢着されたエアーシリンダであって、進退自在なロッド２７ａには、上記した揺動軸２５に一端部を軸着されたレバー２９の他端部が枢着されている。
【００１５】
このように構成されていることにより、駆動伝達カム１６が回転すると、カム面に対接するカムフォロア２０を介して、第１のレバー部材１８が枢軸１７を中心として揺動する。この揺動によってカムフォロア２３に対接するレバー２６が揺動するため、揺動軸２５が軸心回りに往復回動するので、この揺動軸２５に基端部が軸着された前当て１３が揺動して排紙パイル１０に積載される紙９の先端側が揃えられる。また、排紙装置３に排紙される紙９のうち、排紙パイル１０上に積載させずに、サンプルとして排紙装置３の後方から取り出す場合には、エアーシリンダ２７を作動させ、ロッド２７ａを後退させることにより、レバー２９を介して揺動軸２５を回動させ、前当て１３を水平状態に倒伏させて行う。
【００１６】
３０は略逆Ｌ字状に形成された第２のレバー部材であって、基端部が上記枢軸１７に揺動自在に支持されており、この基端部から突設された揺動腕部３１と、これと略直交するように基端部から突設された規制腕部３２と、揺動腕部３１から直交するように突設された連結部３３とによって形成されている。このうち、揺動腕部３１の先端には、カム部３１ａが設けられており、連結部３３の先端部には、貫通孔３４ａが形成されたスタッド３４が枢着されている。
【００１７】
３５は連結部材としての連結バーであって、一端の頭部３５ａが上記ピン１９を介して第１のレバー部材１８の一端部に枢着されており、他端部３５ｂにはねじ部が形成され、この他端部３５ｂは上記スタッド３４の貫通孔３４ａを挿通され、規制部材としてのナット３６が螺合している。スタッド３４と連結バー３５の頭部３５ａとの間には圧縮コイルばね３７が弾装されており、この圧縮コイルばね３７の弾発力によって、スタッド３４がナット３６側に押圧され、第２のレバー部材３０は第１のレバー部材１８に一体的に連結されている。
【００１８】
図４において、３８は保持体３９に枢着されたカムフォロアであって、上記した第２のレバー部材３０のカム部３１ａに対接している。４０は上記した横寄せ装置１４を構成する紙の幅方向の紙端を揃える紙寄せ板であって、取付部材４１を介して保持体３９に取り付けられており、この保持体３９と一体的に図中Ｂ−Ｃ方向に往復動する。４２は圧縮コイルばね（図示せず）が内蔵されたばね箱であって、ブラケット４３を介して排紙フレーム５に取り付けられている。４４はばね箱４２に進退自在に支持された支持部材であって、ばね箱４２内の圧縮コイルばねの弾発力により進出する方向、すなわち矢印Ｂ方向に付勢されている。この支持部材４４の一端に上記保持体３９が取り付けられており、保持体３９はカムフォロア３８が第２のレバー部材３０のカム部３１ａに押圧される方向に摺動習性が付与されている。
【００１９】
このように構成されていることにより、駆動伝達カム１６が回転すると、上述したように、カム面に対接するカムフォロア２０を介して、第１のレバー部材１８が枢軸１７を中心として揺動する。この第１のレバー部材１８の揺動は、ピン１９を介して連結バー３５の頭部３５ａを揺動させ、この頭部３５ａと圧縮コイルばね３７の弾発力によって一体化されたスタッド３４を介して、第２のレバー部材３０が枢軸１７を中心として揺動する。したがって、第２のレバー部材３０の揺動腕部３１のカム部３１ａに対接するカムフォロア３８を介して横寄せ装置１４の紙寄せ板４０が矢印Ｂ−Ｃ方向に往復動するので、排紙パイル１０に積載される紙９の幅方向の紙揃えが行われる。このように、１つの駆動伝達カム１６を回転させることにより、前当て１３による紙の先端の紙揃えと、横寄せ装置１４による紙の幅方向の紙揃えとを行うことができるため、製造コストを低減することができる。
【００２０】
図２および図５に、符号４５で示す規制手段は、ねじ部が形成され排紙フレーム５に固定されたねじ台４６と、このねじ台４６のねじ部に螺合するハンドル付きのねじ棒４７とによって構成されている。このねじ棒４７の先端は上記第２のレバー部材３０の規制腕部３２に対向しており、ねじ棒４７を前進させ、圧縮コイルばね３７を圧縮させながら、第２のレバー部材３０を図２中枢軸１７を中心として時計方向に回動させることにより、第２のレバー部材３０の揺動が規制され、横寄せ装置１４の紙寄せ板４０の往復動が規制される。４８はねじ棒４７に螺合するナットであって、ねじ棒４７の進退操作をするときにナット４８による締結を緩め、操作が終了したときにナット４８によって締め付けてねじ棒４７をねじ台４６に固定する。４９はねじ棒４７に付された目盛、５０は目盛４９に対応させるように装置筺体側に取り付けられた指針であって、この指針５０に指し示された目盛４９を確認しながら、ねじ棒４７を前進させる量、すなわちを横寄せ装置１４の紙寄せ板４０の往復動を規制する操作を行う。
【００２１】
このように構成されていることにより、排紙パイル１０に相対的に厚みの薄い紙を積載する場合には、ねじ棒４７を前進させ、規制腕部３２を介して、第２のレバー部材３０を圧縮コイルばね３７の弾発力に抗して枢軸１７を中心として図２中時計方向に回動させ、圧縮コイルばね３７を圧縮する。このように調整することにより、駆動伝達カム１６を回転させ、カムフォロア２０を介して第１のレバー部材１８が揺動しても、第２のレバー部材３０の揺動が規制されるため、横寄せ装置１４の紙寄せ板４０の往復動が規制できるので、厚みの薄い紙の幅方向の紙端を折り曲げてしまうようなことがなく、的確に紙揃えを行うことができる。
【００２２】
なお、本実施の形態においては、シート状物として紙９を例示したが、フィルムまたはビニール等のシートについても適用できる。また、規制手段として、第２のレバー部材３０の揺動規制をねじ棒４７によって行う構造を示したが、カム機構によってもよく、種々の設計変更が可能である。また、第１のレバー部材１８と第２のレバー部材３０とを同じ枢軸１７によって枢支したが、それぞれ専用の枢軸によって別々に枢支するようにしてもよい。
【図面の簡単な説明】
【００２３】
【図１】本発明に係るシート積載装置のシート揃え装置が使用された枚葉輪転印刷機の概略構成図である。
【図２】本発明に係るシート積載装置のシート揃え装置の側面図である。
【図３】本発明に係るシート積載装置のシート揃え装置を展開して示す正面図であって、前当ての駆動を説明するための図である。
【図４】本発明に係るシート積載装置のシート揃え装置を展開した正面図であって、横寄せ装置の駆動を説明するための図である。
【図５】図２におけるＶ矢視図である。
【符号の説明】
【００２４】
１…枚葉輪転印刷機、９…紙、１０…排紙パイル、１３…前当て、１４…横寄せ装置、１５…シート積載装置のシート揃え装置、１６…駆動伝達カム、１７…枢軸、１８…第１のレバー部材、２０…カムフォロア、２２…引張りコイルばね、２５…揺動軸、３０…第２のレバー部材、３１ａ…カムフォロア、３２…規制腕部、３４…スタッド、３４ａ…貫通孔、３５…連結バー、３６…ナット（規制部材）、３７…圧縮コイルばね（付勢手段）、３８…カムフォロア、４０…紙寄せ板、４５…規制手段、４７…ねじ棒。
【図１】
2005247502.tif 000003
【図２】
2005247502.tif 000004
【図３】
2005247502.tif 000005
【図４】
2005247502.tif 000006
【図５】
2005247502.tif 000007